(57)【要約】【課題】移動通信システムで制御情報を送受信する方法を提供する。【解決手段】移動端末は、予約転送及び無予約転送を支援する基地局に制御情報を效率的に転送する。本発明は、制御情報を転送する必要があるか否かを判断し、現在転送するデータが優先順位方式によって位置する、転送するデータブロックを構成し、前記現在転送するデータよりも高い優先順位を持つ制御情報が転送される必要があると判断されると、前記データブロックに前記制御情報を位置させ、前記データブロックを転送する過程を含む構成とした。【選択図】図５
2008541545.tif 000002
【特許請求の範囲】
【請求項１】
制御情報を転送する必要があるか否か判断する段階と、
現在転送するデータが優先順位方式によって位置する、転送するデータブロックを構成する段階と、
前記現在転送するデータよりも高い優先順位を持つ制御情報が転送される必要があると判断されると、前記データブロックに前記制御情報を位置させる段階と、
前記データブロックを転送する段階と、
を含む、移動通信システムで制御情報を送受信する方法。
【請求項２】
前記転送する現在データは、
予約転送方式によって転送する現在データ及び無予約転送方式によって転送する現在データのうち少なくとも一つであることを特徴とする、請求項１に記載の移動通信システムで制御情報を送受信する方法。
【請求項３】
前記制御情報は、
予約転送方式によって転送する現在データに割り当てられた資源の利用によって前記データブロックに位置することを特徴とする、請求項２に記載の移動通信システムで制御情報を送受信する方法。
【請求項４】
前記制御情報は、
無予約転送方式によって転送する現在データに割り当てられた資源の利用によって前記データブロックに位置することを特徴とする、請求項２に記載の移動通信システムで制御情報を送受信する方法。
【請求項５】
前記制御情報は、
追加で使用可能な無予約転送許容量の利用によって前記データブロックに位置することを特徴とする、請求項１に記載の移動通信システムで制御情報を送受信する方法。
【請求項６】
前記現在データの優先順位は、
前記現在データが伝達される論理チャネルに関するものであることを特徴とする、請求項１に記載の移動通信システムで制御情報を送受信する方法。
【請求項７】
前記制御情報は、
スケジューリング情報を含むことを特徴とする、請求項１に記載の移動通信システムで制御情報を送受信する方法。
【請求項８】
前記スケジューリング情報は、
最優先順位の論理チャネル識別子、総Ｅ−ＤＣＨバッファ状態、最優先順位の論理チャネルバッファ状態及び移動端末電力残余量を含むことを特徴とする、請求項１に記載の移動通信システムで制御情報を送受信する方法。
【請求項９】
前記データブロックは、ＭＡＣ−ｅ  ＰＤＵであることを特徴とする、請求項１に記載の移動通信システムで制御情報を送受信する方法。
【請求項１０】
前記データブロックは、アップリンク方向に転送チャネルを介して転送されることを特徴とする、請求項１に記載の移動通信システムで制御情報を送受信する方法。
【請求項１１】
前記転送チャネルは、向上した専用チャネル（Ｅ−ＤＣＨ）であることを特徴とする、請求項１０に記載の移動通信システムで制御情報を送受信する方法。
【請求項１２】
前記優先順位方式において、データブロック内でより高い優先順位の論理チャネルのデータは、より低い優先順位の論理チャネルのデータの前に位置することを特徴とする、請求項１に記載の移動通信システムで制御情報を送受信する方法。
【請求項１３】
制御情報を転送する必要があるか否かを判断し、現在転送するデータが優先順位方式によって位置する、転送するデータブロックを構成し、前記現在転送するデータよりも高い優先順位を持つ制御情報が転送される必要があると判断されると、前記データブロックに前記制御情報を位置させるプロセッサと、
前記プロセッサの制御によって前記データブロックを転送する送信器と、
を含む、移動通信システムで制御情報を送受信する移動端末。
【請求項１４】
前記転送する現在データは、
予約転送方式によって転送する現在データ及び無予約転送方式によって転送する現在データのうち少なくとも一つであることを特徴とする、請求項１３に記載の移動通信システムで制御情報を送受信する移動端末。
【請求項１５】
前記制御情報は、
予約転送方式によって転送する現在データに割り当てられた資源の利用によって前記データブロックに位置することを特徴とする、請求項１４に記載の移動通信システムで制御情報を送受信する移動端末。
【請求項１６】
前記制御情報は、
無予約転送方式によって転送する現在データに割り当てられた資源の利用によって前記データブロックに位置することを特徴とする、請求項１４に記載の移動通信システムで制御情報を送受信する移動端末。
【請求項１７】
前記制御情報は、
追加で使用可能な無予約転送許容量の利用によって前記データブロックに位置することを特徴とする、請求項１３に記載の移動通信システムで制御情報を送受信する移動端末。
【請求項１８】
前記現在データの優先順位は、
前記現在データが伝達される論理チャネルに関するものであることを特徴とする、請求項１３に記載の移動通信システムで制御情報を送受信する移動端末。
【請求項１９】
前記制御情報は、
スケジューリング情報を含むことを特徴とする、請求項１３に記載の移動通信システムで制御情報を送受信する移動端末。
【請求項２０】
前記スケジューリング情報は、
最優先順位の論理チャネル識別子、総Ｅ−ＤＣＨバッファ状態、最優先順位の論理チャネルバッファ状態及び移動端末電力残余量を含むことを特徴とする、請求項１３に記載の移動通信システムで制御情報を送受信する移動端末。
【請求項２１】
前記データブロックは、ＭＡＣ−ｅ  ＰＤＵであることを特徴とする、請求項１３に記載の移動通信システムで制御情報を送受信する方法。
【請求項２２】
前記データブロックは、アップリンク方向に転送チャネルを介して転送されることを特徴とする、請求項１３に記載の移動通信システムで制御情報を送受信する移動端末。
【請求項２３】
前記転送チャネルは、向上した専用チャネル（Ｅ−ＤＣＨ）であることを特徴とする、請求項２２に記載の移動通信システムで制御情報を送受信する移動端末。
【請求項２４】
前記優先順位方式において、データブロック内でより高い優先順位の論理チャネルのデータは、より低い優先順位の論理チャネルのデータの前に位置することを特徴とする、請求項１３に記載の移動通信システムで制御情報を送受信する移動端末。
【発明の詳細な説明】
【技術分野】
【０００１】
本発明は、移動通信システムにおける制御情報送受信方法に係り、より詳細には、予約転送方式及び無予約転送方式が可能な移動通信システムで制御情報を送受信する方法に関する。
【背景技術】
【０００２】
図１は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構成を示すブロック図である。図１を参照すると、ＵＭＴＳは、大きく、ユーザ端末（Ｕｓｅｒ  Ｅｑｕｉｐｍｅｎｔ；以下、‘ＵＥ’という。）とＵＭＴＳ無線接続網（ＵＭＴＳ  Ｔｅｒｒｅｓｔｒｉａｌ  Ｒａｄｉｏ  Ａｃｃｅｓｓ  Ｎｅｔｗｏｒｋ；以下‘ＵＴＲＡＮ’という。）及び基幹網（Ｃｏｒｅ  Ｎｅｔｗｏｒｋ；以下‘ＣＮ’という。）からなる。
【０００３】
ＵＴＲＡＮは、少なくとも一つの無線網副システム（Ｒａｄｉｏ  Ｎｅｔｗｏｒｋ  Ｓｕｂ−ｓｙｓｔｅｍｓ；以下、‘ＲＮＳ’という。）で構成される。ＲＮＳは、一つの無線網制御器（Ｒａｄｉｏ  Ｎｅｔｗｏｒｋ  Ｃｏｎｔｒｏｌｌｅｒ；以下、‘ＲＮＣ’という。）と、該ＲＮＣによって管理される一つ以上の基地局（以下、‘Ｎｏｄｅ  Ｂ’という。）とからなる。一つのＮｏｄｅ  Ｂには一つ以上のセル（Ｃｅｌｌ）が存在する。
【０００４】
図２は、ＵＥとＵＴＲＡＮ間の無線インターフェースプロトコル（Ｒａｄｉｏ  Ｉｎｔｅｒｆａｃｅ  Ｐｒｏｔｏｃｏｌ）の階層構造図である。図２に示すように、無線インターフェースプロトコルは、垂直的には、物理階層（Ｐｈｙｓｉｃａｌ  Ｌａｙｅｒ）、データリンク階層（Ｄａｔａ  Ｌｉｎｋ  Ｌａｙｅｒ）及びネットワーク階層（Ｎｅｔｗｏｒｋ  Ｌａｙｅｒ）からなり、水平的には、データ情報転送のためのユーザ平面（Ｕｓｅｒ  Ｐｌａｎｅ）と制御信号（Ｓｉｇｎａｌｉｎｇ）伝達のための制御平面（Ｃｏｎｔｒｏｌ  Ｐｌａｎｅ）とからなる。
【０００５】
図２のプロトコル階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３階層のように、第１階層（Ｌ１）、第２階層（Ｌ２）、第３階層（Ｌ３）に区分されることができる。次に、図２の各階層について説明する。
【０００６】
まず、第１階層である物理（Ｐｈｙｓｉｃａｌ；以下、‘ＰＨＹ’という。）階層は、物理チャネル（Ｐｈｙｓｉｃａｌ  Ｃｈａｎｎｅｌ）を用いて上位階層に情報転送サービス（Ｉｎｆｏｒｍａｔｉｏｎ  Ｔｒａｎｓｆｅｒ  Ｓｅｒｖｉｃｅ）を提供する。ＰＨＹ階層は、上位の媒体接続制御（Ｍｅｄｉｕｍ  Ａｃｃｅｓｓ  Ｃｏｎｔｒｏｌ；以下、‘ＭＡＣ’という。）階層とは転送チャネル（Ｔｒａｎｓｐｏｒｔ  Ｃｈａｎｎｅｌ）を介して連結される。したがって、転送チャネルを介してＭＡＣ階層とＰＨＹ階層間のデータが移動する。また、異なるＰＨＹ階層間、具体的には、送信側と受信側のＰＨＹ階層間は、物理チャネルを介してデータが移動する。
【０００７】
第２階層のＭＡＣ階層は、論理チャネル（Ｌｏｇｉｃａｌ  Ｃｈａｎｎｅｌ）を介して上位階層である無線リンク制御（Ｒａｄｉｏ  Ｌｉｎｋ  Ｃｏｎｔｒｏｌ；以下、‘ＲＬＣ’という。）階層にサービスを提供する。ＭＡＣ階層は、細部的に管理する転送チャネルの種類によって、ＭＡＣ−ｂ副階層（Ｓｕｂｌａｙｅｒ）、ＭＡＣ−ｄ副階層、ＭＡＣ−ｃ／ｓｈ副階層、ＭＡＣ−ｈｓ副階層、及びＭＡＣ−ｅ副階層に区分することができる。
【０００８】
ＭＡＣ−ｂ副階層は、システム情報（Ｓｙｓｔｅｍ  Ｉｎｆｏｒｍａｔｉｏｎ）の放送を担当する転送チャネルであるＢＣＨ（Ｂｒｏａｄｃａｓｔ  Ｃｈａｎｎｅｌ）の管理を行う。ＭＡＣ−ｃ／ｓｈ副階層は、他の端末に共有される共用転送チャネルを管理する。この共用転送チャネルの例には、ＦＡＣＨ（Ｆｏｒｗａｒｄ  Ａｃｃｅｓｓ  Ｃｈａｎｎｅｌ）やＤＳＣＨ（Ｄｏｗｎｌｉｎｋ  Ｓｈａｒｅｄ  Ｃｈａｎｎｅｌ）などがある。ＭＡＣ−ｄ副階層は、特定端末に対してＤＣＨ（Ｄｅｄｉｃａｔｅｄ  Ｃｈａｎｎｅｌ）のような専用転送チャネルの管理を担当する。ＭＡＣ−ｈｓ副階層は、ダウンリンク及びアップリンクで高速データ転送を支援するためにＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）のような転送チャネルを管理する。ＭＡＣ−ｅ副階層は、高速アップリンクデータ転送のためにＥ−ＤＣＨ（Ｅｎｈａｎｃｅｄ  Ｄｅｄｉｃａｔｅｄ  Ｃｈａｎｎｅｌ）のような転送チャネルを管理する。
【０００９】
図３は、ＤＣＨとＥ−ＤＣＨの構造例を示す図である。図３を参照すると、ＤＣＨとＥ−ＤＣＨの両方とも一つの端末が専用できる転送チャネルである。特に、Ｅ−ＤＣＨは、端末がＵＴＲＡＮにアップリンクでデータを転送するのに用いられる。ＤＣＨに比べて、Ｅ−ＤＣＨはより高速でアップリンクデータを転送することができる。データの高速転送のために、Ｅ−ＤＣＨは、例えば、混合自動再転送（Ｈｙｂｒｉｄ  Ａｕｔｏｍａｔｉｃ  Ｒｅｐｅａｔ  Ｒｅｑｕｅｓｔ；以下、‘ＨＡＲＱ’という。）、適応変調及びコーディング（Ａｄａｐｔｉｖｅ  Ｍｏｄｕｌａｔｉｏｎ  ａｎｄ  Ｃｏｄｉｎｇ；以下、‘ＡＭＣ’という。）及びＮｏｄｅ  Ｂ制御によるスケジューリング（Ｎｏｄｅ  Ｂ  Ｃｏｎｔｒｏｌｌｅｄ  Ｓｃｈｅｄｕｌｉｎｇ）のような技術を用いる。
【００１０】
Ｅ−ＤＣＨのために、Ｎｏｄｅ  Ｂは端末に、端末のＥ−ＤＣＨ転送を制御するダウンリンク制御情報を転送する。このダウンリンク制御情報は、例えば、ＨＡＲＱのための応答情報（ＡＣＫ／ＮＡＣＫ）、ＡＭＣのためのチャネル状態情報（Ｃｈａｎｎｅｌ  Ｑｕａｌｉｔｙ  Ｉｎｆｏｒｍａｔｉｏｎ）、Ｅ−ＤＣＨ転送速度割当情報、Ｅ−ＤＣＨ転送開始時間及び転送時間区間割当情報、転送ブロック大きさ情報（Ｔｒａｎｓｐｏｒｔ  Ｂｌｏｃｋ  Ｓｉｚｅ  Ｉｎｆｏｒｍａｔｉｏｎ）を含む。一方、端末はＮｏｄｅ  Ｂにアップリンク制御情報を転送する。このアップリンク制御情報は、例えば、Ｎｏｄｅ  Ｂ制御スケジューリング（Ｎｏｄｅ  Ｂ  Ｃｏｎｔｒｏｌｌｅｄ  Ｓｃｈｅｄｕｌｉｎｇ）のためのＥ−ＤＣＨ転送速度要請情報（Ｒａｔｅ  Ｒｅｑｕｅｓｔ  Ｉｎｆｏｒｍａｔｉｏｎ）、端末バッファ状態情報（ＵＥ  Ｂｕｆｆｅｒ  Ｓｔａｔｕｓ  Ｉｎｆｏｒｍａｔｉｏｎ）、端末電力状態情報（ＵＥ  Ｐｏｗｅｒ  Ｓｔａｔｕｓ  Ｉｎｆｏｒｍａｔｉｏｎ）を含む。Ｅ−ＤＣＨのためのアップリンク制御情報とダウンリンク制御情報は、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）のような物理制御チャネル（Ｐｈｙｓｉｃａｌ  Ｃｏｎｔｒｏｌ  Ｃｈａｎｎｅｌ）を介して転送される。
【００１１】
Ｅ−ＤＣＨのためにＭＡＣ−ｄ副階層とＭＡＣ−ｅ副階層間にはＭＡＣ−ｄフロー（ｆｌｏｗ）が定義される。このとき、専用論理チャネルはＭＡＣ−ｄフローにマッピングされる。ＭＡＣ−ｄフローは、転送チャネルＥ−ＤＣＨにマッピングされ、Ｅ−ＤＣＨは他の物理チャネルＥ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）にマッピング（Ｍａｐｐｉｎｇ）される。一方、専用論理チャネルは直接転送チャネルＤＣＨにマッピングされても良い。この時、転送チャネルＤＣＨは、物理チャネルＤＰＤＣＨ（Ｄｅｄｉｃａｔｅｄ  Ｐｈｙｓｉｃａｌ  Ｄａｔａ  Ｃｈａｎｎｅｌ）にマッピングされる。図３のＭＡＣ−ｄ副階層は、特定端末に対する専用転送チャネルであるＤＣＨ（Ｄｅｄｉｃａｔｅｄ  Ｃｈａｎｎｅｌ）を管理し、ＭＡＣ−ｅ副階層は、高速のデータをアップリンクで転送するために用いられる転送チャネルであるＥ−ＤＣＨ（Ｅｎｈａｎｃｅｄ  Ｄｅｄｉｃａｔｅｄ  Ｃｈａｎｎｅｌ）を管理する。
【００１２】
送信側ＭＡＣ−ｄ副階層は、上位階層、すなわち、ＲＬＣ階層から伝達されたＭＡＣ−ｄサービスデータユニット（Ｓｅｒｖｉｃｅ  Ｄａｔａ  Ｕｎｉｔ；以下、‘ＳＤＵ’という。）からＭＡＣ−ｄプロトコルデータユニット（Ｐｒｏｔｏｃｏｌ  Ｄａｔａ  Ｕｎｉｔ；以下、‘ＰＤＵ’という。）を構成する。受信側ＭＡＣ−ｄ副階層は、下位階層から受信したＭＡＣ−ｄ  ＰＤＵからＭＡＣ−ｄ  ＳＤＵを復元して上位階層に伝達する。この時、ＭＡＣ−ｄは、ＭＡＣ−ｄフローを介してＭＡＣ−ｅ副階層とＭＡＣ−ｄ  ＰＤＵを交換する、または、ＤＣＨを介して物理階層とＭＡＣ−ｄ  ＰＤＵを交換する。受信側ＭＡＣ−ｄ副階層は、ＭＡＣ−ｄ  ＰＤＵに添付されたＭＡＣ−ｄヘッダ（Ｈｅａｄｅｒ）を用いてＭＡＣ−ｄ  ＰＤＵを復元し、復元されたＭＡＣ−ｄ  ＳＤＵを上位階層に伝達する。
【００１３】
送信側ＭＡＣ−ｅ副階層は、上位階層、すなわちＭＡＣ−ｄ副階層から伝達されたＭＡＣ−ｄ  ＰＤＵに該当するＭＡＣ−ｅ  ＳＤＵからＭＡＣ−ｅ  ＰＤＵを構成する。受信側ＭＡＣ−ｅ副階層は、下位階層、すなわち、物理階層から受信したＭＡＣ−ｅ  ＰＤＵからＭＡＣ−ｅ  ＳＤＵを復元し、これを上位階層に伝達する。この時、ＭＡＣ−ｅは、Ｅ−ＤＣＨを介して物理階層とＭＡＣ−ｅ  ＰＤＵを交換する。受信側ＭＡＣ−ｅ副階層は、ＭＡＣ−ｅ  ＰＤＵに添付されたＭＡＣ−ｅヘッダ（Ｈｅａｄｅｒ）を用いてＭＡＣ−ｅ  ＳＤＵを復元し、これを上位階層に伝達する。
【００１４】
図４は、Ｅ−ＤＣＨのためのプロトコルを例示するダイヤグラムである。図４を参照すると、Ｅ−ＤＣＨを支援するＭＡＣ−ｅ副階層は、ＵＴＲＡＮのＭＡＣ−ｄ副階層の下位に存在する。そして、ＵＴＲＡＮのＭＡＣ−ｅ副階層は、Ｎｏｄｅ  Ｂに位置する。各端末にもＭＡＣ−ｅ副階層が存在する。一方、ＵＴＲＡＮのＭＡＣ−ｄ副階層は、該当する端末の管理を担当するＳＲＮＣ（Ｓｅｒｖｉｎｇ  Ｒａｄｉｏ  Ｎｅｔｗｏｒｋ  Ｃｏｎｔｒｏｌｌｅｒ）に位置する。各端末にもＭＡＣ−ｄ副階層が存在する。
【００１５】
次に、Ｅ−ＤＣＨにおける制御情報転送について説明する。まず、Ｅ−ＤＣＨでは、Ｎｏｄｅ  Ｂにスケジューラが存在する。このスケジューラは、各セルの全ての端末から基地局方向のアップリンクリンクで転送されるデータの転送効率を高めるために、一つのセルに存在する端末のそれぞれに最適の無線資源を割り当てる役割を担う。特に、より多くのデータを転送するために、一つのセルにおいて無線チャネル状況の良い端末には無線資源をより多く割り当てる。無線チャネル状況のよくない端末には、無線資源をより少なく割り当て、当該端末がアップリンク無線チャネルを介して干渉信号を転送するのを防止する。
【００１６】
該当の端末に無線資源割当を行う時、スケジューラは、当該端末の無線チャネル状況のみを考慮するのではない。スケジューラは端末に制御情報をも要求する。例えば、この制御情報は、端末がＥ−ＤＣＨのために使用可能な電力量または端末が転送しようとするデータの量を含む。すなわち、端末がより良い無線チャネル状態を持っているとしても、端末がＥ−ＤＣＨのために使用可能な余分の電力がない、または、端末がアップリンク方向に転送するデータがないと、当該端末に無線資源を割り当ててはならない。すなわち、スケジューラは、Ｅ−ＤＣＨのための余分の電力とアップリンク方向に転送するデータがある端末に限って無線資源を割り当てることによって、一つのセル内での無線資源使用の効率性を高めることができる。
【００１７】
したがって、端末は、Ｎｏｄｅ  Ｂのスケジューラに制御情報を送る。この制御情報は様々な方式で転送されることができる。例えば、Ｎｏｄｅ  Ｂのスケジューラは、アップリンクで送るデータが一定値を越えるということを報告するように端末に命令する、または、周期的に制御情報をＮｏｄｅ  Ｂに転送するように端末に命令することができる。
【００１８】
Ｎｏｄｅ  Ｂのスケジューラから端末が無線資源を受け取ると、該端末は、受け取った無線資源内でＭＡＣ−ｅ  ＰＤＵを構成し、このＭＡＣ−ｅ  ＰＤＵをＥ−ＤＣＨを介して基地局に転送する。特に、転送するデータがある場合は、端末はＮｏｄｅ  Ｂに制御情報を送り、端末が送るデータがあるということを知らせる。この時、Ｎｏｄｅ  Ｂのスケジューラは、端末から送られた制御情報に基づいて端末に無線資源の割当を知らせる情報を送る。この場合、無線資源の割当を知らせる情報は、端末がアップリンクで転送できるような電力の最大値、基準チャネルに対する割合などを意味する。端末は、当該無線資源の割当を知らせる情報に基づいた許容範囲内でＭＡＣ−ｅ  ＰＤＵを構成して転送する。
【００１９】
一方、ＶｏＩＰ（Ｖｏｉｃｅ  Ｏｖｅｒ  ＩＰ）サービスの場合、音声通話サービスは伝達遅延（Ｄｅｌａｙ）に非常に敏感である。すなわち、転送過程における伝達遅延は、音声通話の品質を落とす。したがって、このようなサービスは、無線で送受信されるデータの伝達遅延を最小化しなければならない。しかしながら、端末がＮｏｄｅ  Ｂにデータがあることを知らせ、Ｎｏｄｅ  Ｂから資源を受けてからＭＡＣ−ｅ  ＰＤＵを介してデータを転送する過程では伝達遅延は避けられない。
【００２０】
このようなサービスに対し、ネットワークは、端末が一つのチャネルであらかじめ設定された量のデータをいつでも転送できるようにする。このような方法を無予約転送（Ｎｏｎ−ｓｃｈｅｄｕｌｅｄ  Ｔｒａｎｓｍｉｓｓｉｏｎ）と呼ぶ。特に、端末は、無予約転送に設定されたチャネルに対しては無予約転送許容量（Ｎｏｎ−ｓｃｈｅｄｕｌｅｄ  Ｇｒａｔｅ）内ではいつでもアップリンクでデータを転送することができる。一方、端末が、データがあることを知らせ、これに応じてＮｏｄｅ  Ｂから無線資源割当を受け取ってからデータを転送する方法は、予約転送（Ｓｃｈｅｄｕｌｅｄ  Ｔｒａｎｓｍｉｓｓｉｏｎ）という。この時、Ｎｏｄｅ  Ｂから受け取った無線資源の量を予約転送許容量（Ｓｃｈｅｄｕｌｅｄ  Ｇｒａｎｔ）という。
【００２１】
したがって、予約転送と設定されたチャネルは、無予約転送と設定されたチャネルのデータが充分でないために無予約転送許容量を全て使用できないとしても、無予約転送と設定された資源を使用することができない。この原則は予約転送にも適用される。
【００２２】
例えば、無予約転送許容量が１００、予約転送許容量が５０、無予約転送に該当するデータの量が３０、予約転送と設定されたデータの量が１５０であれば、実に転送されるデータは、無予約転送データ３０と予約転送データ５０とから構成される。すなわち、予約転送で送るべきデータ１００がまだ残っており、無予約転送でデータ７０をさらに送ることができるとしても、予約転送と設定されたデータは予約転送許容量のみを用いて転送され、無予約転送と設定されたデータは無予約転送許容量のみを用いて転送される。
【００２３】
このため、従来技術では、端末が自分に割り当てられた無予約転送許容量、予約転送許容量を全てデータ転送に割り当てると、端末はＮｏｄｅ  Ｂに制御情報を送ることができないという問題があった。
【発明の開示】
【発明が解決しようとする課題】
【００２４】
本発明は、移動通信システムにおける制御情報の送受信に関する。
【００２５】
本発明の追加的な特徴及び長所は、下記の記載で説明され、部分的には下記の記載からまたは本発明の実施から明らかになる。本発明の目的及び他の長所は、詳細な説明、添付の図面の他、請求項で特別に指摘された構造によって実現または達成されることができる。
【課題を解決するための手段】
【００２６】
上記の包括的説明及び下記される具体的な説明のように、上記の目的及び他の長所を実現し、本発明の目的と一致させるために、本発明は、移動通信システムで制御情報を送受信する方法を提供する。この方法は、制御情報が転送される必要があるか判断する段階、転送するデータブロックを構成する段階、制御情報が転送される必要があると判断されると、前記データブロックに前記制御情報を位置させる段階、前記データブロックを転送する段階と、を含み、前記転送する現在データは、優先順位方式によって前記データブロック内に位置し、前記制御情報は、転送するデータよりも高い優先順位を持つ。
【００２７】
好ましくは、前記転送する現在データは、予約転送方式によって転送するデータ及び無予約転送方式によって転送するデータのうち少なくとも一つである。一様相として、前記制御情報は、予約転送方式によって転送する現在データに割り当てられた資源の利用によって前記データブロック内に位置する。他の様相として、前記制御情報は、無予約転送方式によって転送する現在データに割り当てられた資源の利用によって前記データブロック内に位置する。さらに他の様相として、前記制御情報は、追加で利用可能な無予約転送許容量を用いて前記データブロック内に位置する。
【００２８】
好ましくは、前記現在データの優先順位は、前記現在データが転送される論理チャネルに関連する。
【００２９】
好ましくは、前記制御情報は、スケジューリング情報を含み、前記スケジューリング情報は、最優先順位の論理チャネル識別子、総Ｅ−ＤＣＨバッファの状態、最優先順位の論理チャネルバッファ状態、及び端末の残余電力量を含む。
【００３０】
好ましくは、前記データブロックはＭＡＣ−ｅ  ＰＤＵであって、転送チャネルを介してアップリンクで転送される。ここで、前記転送チャネルは、向上した専用チャネル（Ｅ−ＤＣＨ）である。
【００３１】
好ましくは、優先順位方式において、より高い優先順位を持つ論理チャネルのデータは、データブロックでより低い優先順位を持つ論理チャネルのデータの前に位置する。
【００３２】
本発明の他の具体例として、移動通信システムで制御情報を送受信する移動端末は、制御情報を転送する必要があるか判断し、転送するデータブロックを構成し、前記制御情報を転送する必要があると判断される場合、前記制御情報を前記データブロック内に位置させるプロセッサを備え、前記転送する現在データは、優先順位方式によってデータブロック内に位置し、前記制御情報は転送する現在データよりも高い優先順位を持つ。前記移動端末はまた、前記データブロックを転送するプロセッサによって制御される送信器を備える。
【００３３】
好ましくは、前記転送する現在データは、予約転送方式によって転送する現在データ及び無予約転送方式によって転送する現在データのうち少なくとも一つである。一つの様相として、前記制御情報は、予約転送方式によって転送する現在データに割り当てられた資源を用いて前記データブロック内に位置する。他の様相として、前記制御情報は、無予約転送方式によって転送する現在データに割り当てられた資源の利用によって前記データブロック内に位置する。さらに他の様相として、前記制御情報は、追加で利用可能な無予約転送許容量の利用によって前記データブロック内に位置する。
【００３４】
好ましくは、前記現在データに対する優先順位は、前記現在データが転送される論理チャネルと関連する。
【００３５】
好ましくは、前記制御情報は、スケジューリング情報を含み、前記スケジューリング情報は、最優先順位の論理チャネル識別子、総Ｅ−ＤＣＨバッファ状態、最優先順位の論理チャネルバッファ状態、及び移動端末の残余電力量を含む。
【００３６】
好ましくは、前記データブロックはＭＡＣ−ｅ  ＰＤＵであって、アップリンク方向に転送チャネルを介して転送され、前記転送チャネルは、向上した専用チャネル（Ｅ−ＤＣＨ）である。
【００３７】
好ましくは、前記優先順位方式において、より高い優先順位を持つ論理チャネルのデータは、データブロックでより低い優先順位を持つ論理チャネルのデータの前に位置する。
【００３８】
本発明についての上記の包括的な説明及び下記の詳細な説明はいずれも例示的且つ説明的なもので、請求項に記載された本発明について付加的な説明を提供するためのものとして理解すべきである。
【発明を実施するための最良の形態】
【００３９】
本発明は、移動通信システムにおける制御情報の送受信に関する。
【００４０】
以下、添付の図面を参照しつつ、本発明の好適な実施例について説明する。図面中、同一の構成要素には可能な限り同一の参照符号を付する。
【００４１】
ＭＡＣ−ｅ  ＰＤＵを構成する時、端末は、無予約転送許容量と予約転送許容量内で無予約転送データと予約転送データにそれぞれ関連付けられたチャネルの優先順位を決定する。チャネルの転送優先順位及び転送許容量に関する例を、表１に示す。
【００４２】
【表１】
2008541545.tif 000003
無予約転送許容量が１２０で、予約転送許容量が１２０であるとすれば、ＭＡＣ−ｅ  ＰＤＵのようなデータブロックを構成する時、資源は、最も優先順位の高いチャネルにまず割り当てられる。好ましくは、ＭＡＣ−ｅ  ＰＤＵの総大きさは、無予約転送許容量及び予約転送許容量の和を越えることはできない。上記表１の例において、ＭＡＣ−ｅ  ＰＤＵの構成は、次の通りである。
【００４３】
表１を参照すると、資源割当は、表１のチャネルの中で最も優先順位の高いＣｈａｎｎｅｌ  ２から割当を始める。Ｃｈａｎｎｅｌ  ２のデータの量は１００である。したがって、無予約転送許容量のうち残っている量が１２０であるから、Ｃｈａｎｎｅｌ  ２のデータ１００が全てＭＡＣ−ｅ  ＰＤＵに含まれる。このＣｈａｎｎｅｌ  ２に対する割当の結果によって、無予約転送許容量のうち残っている量は２０、予約転送許容量のうち残っている量は１２０となる。
【００４４】
その次に優先順位の高いチャネルは、Ｃｈａｎｎｅｌ  ３であり、続いて、資源はＣｈａｎｎｅｌ  ３に割り当てられる。上述したように、Ｃｈａｎｎｅｌ  ３のデータ量は５０である。したがって、予約許容転送量のうち残っている量が１２０であるから、Ｃｈａｎｎｅｌ  ３の全てのデータはＭＡＣ−ｅ  ＰＤＵに含まれる。その結果、無予約転送許容量の残っている量は２０、予約転送許容量の残っている量は７０となる。
【００４５】
その次に優先順位の高いチャネルはＣｈａｎｎｅｌ  １であり、資源はＣｈａｎｎｅｌ  １に割り当てられる。上述したように、Ｃｈａｎｎｅｌ  １のデータ量は１０である。したがって、予約転送許容量のうち残っている量が２０であるから、Ｃｈａｎｎｅｌ  １のデータは全てＭＡＣ−ｅ  ＰＤＵに含まれる。その結果、無予約転送許容量のうち残っている量は１０、予約転送許容量のうち残っている量は７０となる。
【００４６】
その次に優先順位の高いチャネルはＣｈａｎｎｅｌ  ４であり、資源はＣｈａｎｎｅｌ４に割り当てられる。上述したように、Ｃｈａｎｎｅｌ  ４のデータ量は１００であるが、予約転送許容量のうち残っている量は７０であるので、Ｃｈａｎｎｅｌ  ４のデータのうち７０のみがＭＡＣ−ｅ  ＰＤＵに含まれる。その結果、無予約転送許容量のうち残っている量は１０、予約転送許容量のうち残っている量は０となる。
【００４７】
したがって、構成されたＭＡＣ−ｅ  ＰＤＵは、Ｃｈａｎｎｅｌ  １のデータ１０、Ｃｈａｎｎｅｌ  ２のデータ１００、Ｃｈａｎｎｅｌ  ３のデータ５０、Ｃｈａｎｎｅｌ  ４のデータ７０を含むことになる。ところが、ＭＡＣ−ｅ  ＰＤＵを構成する上記のような過程で、端末がＮｏｄｅ  Ｂのような基地局に送るべき制御情報が発生することができる。例えば、端末が前もってＮｏｄｅ  Ｂに自分の送るべきデータの量を知らせて資源割当を要求することができる。このような場合、Ｎｏｄｅ  Ｂは上記の要求に応じて端末に無線資源を割り当て、以降、端末は継続してＮｏｄｅ  ＢにＥ−ＤＣＨを介してデータを転送する。このような転送過程中に、端末からアップリンクで送らなければならない新しいデータが発生すると、端末は当該新しいデータの量をＮｏｄｅ  Ｂに知らせて追加的な資源割当を受けなければならない。したがって、この場合には端末がデータ転送中に追加的に制御情報をＮｏｄｅ  Ｂに送ることになる。
【００４８】
しかしながら、上記の例によれば、端末が、データの在るチャネルのみを考慮してＭＡＣ−ｅ  ＰＤＵを構成すると、端末が自分に割り当てられた無予約転送許容量及び予約転送許容量の資源を全て使用した後には、Ｎｏｄｅ  Ｂに制御情報を送ることができなくなる。
【００４９】
図５は、本発明の一実施例による制御情報送受信方法を示す流れ図である。図５を参照すると、本発明では、端末はＮｏｄｅ  Ｂのような受信器に制御情報を転送する必要があるか判断する（Ｓ１００）。続いて、端末は優先順位方式によってＭＡＣ−ｅ  ＰＤＵのようなデータブロックを構成する。好ましくは、端末は、優先順位方式によってＮｏｄｅ  Ｂに転送する現在データをデータブロック内に位置させる（Ｓ２００）。その後、制御情報がＮｏｄｅ  Ｂに転送される必要があると判断されると、当該制御情報をデータブロック内に含める（Ｓ３００）。ここで、制御情報は、転送する現在データよりも高い優先順位を持つ。データブロックの構成が完了した後に、このデータブロックをＮｏｄｅ  Ｂに転送する（Ｓ４００）。
【００５０】
本発明の一実施例によれば、無予約転送に該当するチャネルまたはサービスに該当するデータがなく、予約転送に該当するチャネルまたはサービスにデータが存在し、かつ、予約転送に該当するチャネルにはいかなる転送も許容されない場合、端末は、Ｎｏｄｅ  Ｂに無線資源割当を要求する制御情報を転送する。この場合、端末は、端末に設定された無予約転送許容量を用い、その割当量内で制御情報を構成する方式で制御情報をＮｏｄｅ  Ｂに転送することができる。好ましくは、端末が制御情報のみをアップリンクで送る場合、無予約転送許容量を用いて当該制御情報を送信することができる。
【００５１】
したがって、転送するユーザデータがない場合には、端末が無予約転送を用いて制御情報を直ちに送ることができる。これにより、端末は無線資源をより速く受けることができ、ユーザが感じる伝達遅延現象を低減させることができる。
【００５２】
好ましくは、無線資源割当を要求する制御情報には、例えば、端末に設定された様々な論理チャネルの中で最も優先順位の高いチャネルに該当するデータの量（最優先順位の論理チャネルバッファ状態）、端末に設定された論理チャネルに保存されているデータの総和（総Ｅ−ＤＣＨバッファ状態）、端末がアップリンクで転送に使用できる電力量（移動端末電力残余量）及び最優先順位の論理チャネル識別子などのスケジューリング情報が含まれる。
【００５３】
一方、端末がＮｏｄｅ  Ｂに制御情報を送るに当たり、同時に無予約転送に該当するチャネルまたはサービスのデータも転送しなければならない場合、端末は、無予約転送許容量を用いて当該制御情報を転送する。したがって、本発明の一実施例によれば、制御情報は、無予約転送を用いるように設定されたいずれの論理チャネルまたはサービスよりも低い優先順位で処理される。したがって、ＭＡＣ−ｅ  ＰＤＵを構成するに当たり、端末はまず、無予約転送を利用するように設定された論理チャネルまたはサービスのデータを優先順位の高い順にＭＡＣ−ｅ  ＰＤＵに含める。当該データをＭＡＣ−ｅ  ＰＤＵに全て含めた後、該端末は、残った空間がある場合、当該制御情報をＭＡＣ−ｅ  ＰＤＵに含める。すなわち、無予約転送許容量を、該無予約転送を利用するように設定された他の論理チャネルまたはサービスにまず割り当て、余分がある場合に当該制御情報を無予約転送許容量を用いて転送する。
【００５４】
上記の過程で、制御情報には、無予約転送と設定された論理チャネルまたはサービスよりも低い優先順位が割り当てられる。一般に、制御情報が知らせる情報は、予約転送と設定された論理チャネルやサービスに関するものである。こういう論理チャネルやサービスはインターネットの場合と同様に伝達遅延に比較的鈍感であるのが普通である。逆に、無予約転送と設定された論理チャネルやサービスは、音声通話のように伝達遅延に非常に敏感である。したがって、制御情報の優先順位は低く設定される。
【００５５】
一方、無予約転送と設定された論理チャネルまたはサービスの優先順位が制御情報に比べて高くない場合もありうる。すなわち、新しいサービスが導入されることによって無予約転送が好ましくなる。しかし、優先順位は低くても違いのないサービスが発生することができる。こういった場合に対応するために、Ｎｏｄｅ  Ｂは端末に制御情報の優先順位を知らせても良い。この場合、端末は、制御情報と無予約転送と設定されたチャネルまたはサービスとを比較し、当該制御チャネルの優先順位よりも高いチャネルのデータをまずＭＡＣ−ｅ  ＰＤＵに含める。空間の余分があると、ＭＡＣ−ｅ  ＰＤＵに制御情報を含める。余分の空間がさらにあると、当該制御情報の優先順位よりも低い優先順位を持つ無予約転送と設定されたチャネルまたはサービスのデータをＭＡＣ−ｅ  ＰＤＵに含めることができる。
【００５６】
無予約転送に該当するサービスまたはチャネルがストリーミングのように伝達遅延に比較的鈍感なサービスであれば、制御情報の優先的な転送は相対的に重要でない。しかし、制御情報が重要な情報、例えば、端末の電力情報を含む場合、制御情報はより迅速にＮｏｄｅ  Ｂに転送されなければならない。したがって、本発明で、制御情報をＮｏｄｅ  Ｂに転送する際に、端末は無予約転送を用いて当該制御情報を転送する。そして、当該制御情報を、無予約転送を利用するように設定されたいずれのチャネルまたはサービスよりも高い優先順位で処理することができる。
【００５７】
したがって、ＭＡＣ−ｅ  ＰＤＵを構成する際、端末は無予約転送を用いてまず制御情報をＭＡＣ−ｅ  ＰＤＵに含める。その後、無予約転送を利用するように設定された論理チャネルまたはサービスのデータを優先順位によって順に無予約転送許容量の余裕分だけＭＡＣ−ｅ  ＰＤＵに含める。
【００５８】
Ｎｏｄｅ  Ｂに制御情報を送る時、端末は、制御情報転送のみのために別に設定された制御情報転送割当量を利用することができる。好ましくは、ＵＴＲＡＮは端末に追加的に制御情報転送割当量の値を知らせる。端末は、この値に設定された値だけの制御情報をいつでもアップリンクで転送することができる。
【００５９】
上記の過程で、制御情報転送は、無予約転送の一部と設定されることができる。制御情報転送が無予約転送の一部と設定される場合、ＵＴＲＡＮは、無予約転送許容量がどれくらい制御情報転送割当量に該当するかを示す割合を端末にさらに知らせることができる。または、制御情報転送が無予約転送の一部と設定される場合、ＵＴＲＡＮは、無予約転送許容量とは別に制御情報転送割当量を端末に知らせることができる。
【００６０】
制御情報転送割当量が無予約転送許容量の一部と設定される場合、転送すべき制御情報があれば、端末は、制御情報転送割当量だけの制御情報をいつも転送することができる。制御情報転送が無予約転送の一部と設定される場合、転送すべき制御情報があれば、端末は制御情報転送割当量だけの制御情報をいつでもアップリンクで送ることができる。転送すべき制御情報がない場合、端末は、当該制御情報転送割当量を、無予約転送と設定された論理チャネルやサービスが使用できるように設定することができる。これは、端末がより効率的に端末のデータをＮｏｄｅ  Ｂに転送できるようにするためである。
【００６１】
一方、制御情報転送が無予約転送の一部と設定されると、転送すべき制御情報がある場合、端末は、制御情報転送割当量だけの制御情報をいつでもアップリンクで送ることができる。転送する制御情報がない場合、端末は、当該制御情報転送割当量を、無予約転送と設定された論理チャネルやサービスが使用できないように設定することができる。これは、Ｎｏｄｅ  Ｂが余分の無線資源を他の目的で利用できるようにするためである。
【００６２】
本発明の一実施例によれば、無予約転送に該当するチャネルまたはサービスに該当するデータが端末に存在しなく、予約転送に該当するチャネルまたはサービスにデータが存在し、また、予約転送に該当するチャネルに対して予約転送が０以上許容され、端末がＮｏｄｅ  Ｂに転送する制御情報を持っていると、端末は、端末に設定された無予約転送許容量を用いてその割当量内で制御情報を構成し、Ｎｏｄｅ  Ｂに転送する。
【００６３】
端末が無予約転送を利用するように許容された場合、端末は、いつでも無予約転送を用いて、無予約転送を利用するように設定されたチャネルまたはサービスに対するデータを転送することができる。しかし、このようなデータが端末に常に存在するわけではない。それにも拘わらず、Ｎｏｄｅ  Ｂは当該端末がいつ転送を行うかがわからない。したがって、Ｎｏｄｅ  Ｂは、該当するセルの無線資源を用意しなければならない。したがって、ＵＴＲＡＮは、無予約転送を必要とするサービスがある場合に、このサービスとそれに該当するチャネルに用いられるように無予約転送を設定する。それ以外の場合、すなわち、予約転送を用いて当該サービスを十分に提供できる場合は、ＵＴＲＡＮは、端末に無予約転送許容量を与えなくても良い。しかし、この場合にも端末がＮｏｄｅ  Ｂに転送すべき制御情報は存在することができる。
【００６４】
したがって、本発明の一実施例によれば、無予約転送に該当するチャネルまたはサービスに該当するデータが端末に存在しなく、予約転送に該当するチャネルまたはサービスにデータが存在し、予約転送に該当するチャネルに対して予約転送が０以上許容され、端末がＮｏｄｅ  Ｂに転送する制御情報を持っていると、端末は、端末に設定された予約転送許容量を用いてその割当量内で制御情報を構成し、Ｎｏｄｅ  Ｂに転送する。
【００６５】
制御情報が、予約転送を利用するように設定されたチャネルまたはサービスの品質に影響を及ぼすので、端末は、制御情報を、予約転送を利用するように設定されたチャネルまたはサービスの優先順位よりも高い優先順位で処理する。端末は、ＭＡＣ−ｅ  ＰＤＵを構成する際に、まず制御情報を予約転送許容量を用いてＭＡＣ−ｅ  ＰＤＵに含め、予約転送許容量の余分を、予約転送を利用するように設定された論理チャネルまたはサービスのデータに割り当て、この時、優先順位によって順にデータをＭＡＣ−ｅ  ＰＤＵに含める。
【００６６】
好ましくは、Ｎｏｄｅ  Ｂが端末に制御情報の優先順位を知らせるようにする。この場合、端末は予約転送を利用するように制御情報を設定することができる。好ましくは、端末は、制御情報をデータの在る予約転送と設定されたチャネルまたはサービスと比較し、制御チャネルの優先順位よりも高い優先順位を持つチャネルのデータをまずＭＡＣ−ｅ  ＰＤＵに含める。その後、空間の余分がある場合、端末は、制御情報をＭＡＣ−ｅ  ＰＤＵに含める。余分の空間がさらにある場合、当該制御情報の優先順位よりも低い優先順位と設定されたチャネルまたはサービスのデータをＭＡＣ−ｅ  ＰＤＵに含めることができる。
【００６７】
また、無予約転送を利用するように設定されたチャネルやサービスがないと、無予約転送に対していずれの割当量も設定されていない場合、端末は、制御情報を無予約転送のようにして送る。好ましくは、端末は、全て予約転送を利用するように設定されたチャネルやサービスのデータを転送するのに予約転送許容量を使用する。もし、転送すべき制御情報があると、端末はいつでもＭＡＣ−ｅ  ＰＤＵに追加的に制御情報を含める。
【００６８】
制御情報の重要性を勘案し、無予約転送許容量は、無予約転送と設定されたチャネルやサービスのデータの転送にのみ使用し、予約転送許容量は、予約転送と設定されたチャネルやサービスのデータの転送にのみ使用する。Ｎｏｄｅ  Ｂに転送すべき制御情報が存在すると、無予約転送または予約転送の優先順位によらず、当該制御情報はいつでもＭＡＣ−ｅ  ＰＤＵに追加的に含まれる。
【００６９】
制御情報の重要性を勘案し、無予約転送許容量は、無予約転送と設定されたチャネルやサービスのデータの転送にのみ使用し、予約転送許容量は、予約転送と設定されたチャネルやサービスのデータの転送にのみ使用する。この無予約転送許容量に余分があると、この余分を用いて制御情報をＭＡＣ−ｅ  ＰＤＵに追加的に含める。
【００７０】
制御情報の重要性を勘案し、無予約転送許容量は、無予約転送と設定されたチャネルやサービスのデータの転送にのみ使用し、予約転送許容量は、予約転送と設定されたチャネルやサービスのデータの転送にのみ使用する。ここで、予約転送許容量に余分があると、この余分を用いて制御情報をＭＡＣ−ｅ  ＰＤＵに追加的に含める。
【００７１】
制御情報の重要性を勘案し、無予約転送許容量は、無予約転送と設定されたチャネルやサービスのデータの転送にのみ使用し、予約転送許容量は、予約転送と設定されたチャネルやサービスのデータの転送にのみ使用する。ここで、無予約転送許容量の余分が制御情報の転送に足りないが、予約転送許容量の余分と該予約転送許容量の余分との和は当該制御情報の転送に充分であれば、該余分を用いて制御情報をＭＡＣ−ｅ  ＰＤＵに追加的に含める。
【００７２】
端末が無予約転送を用いて效果的にＮｏｄｅ  Ｂに制御情報を転送するように設定された場合、無予約転送許容量が不足する、または、無予約転送を利用するように設定された優先順位の高い他のチャネルまたはサービスのデータが多い理由で、無予約転送許容量を用いて制御情報を転送できなければ、端末は、予約転送許容量を用いて制御情報を転送する。この時、制御情報の優先順位を、予約転送を利用するように設定された他のいずれの論理チャネルまたはサービスの優先順位よりも高く処理してＭＡＣ−ｅ  ＰＤＵを構成する。端末は、構成されたＭＡＣ−ｅ  ＰＤＵを転送する。
【００７３】
端末が無予約転送を用いて效果的にＮｏｄｅ  Ｂに制御情報を転送するように設定された場合、無予約転送許容量が不足する、または、無予約転送を利用するように設定された優先順位の高い他のチャネルまたはサービスのデータが多い理由で、無予約転送許容量を用いて制御情報を転送できなければ、端末は、予約転送許容量によらず、制御情報をＭＡＣ−ｅ  ＰＤＵに含める。
【００７４】
本発明の一実施例によれば、ＵＴＲＡＮがより效率的に端末の制御情報転送を設定できるようにするために、ＵＴＲＡＮは、制御情報を予約転送または無予約転送を用いて送るかを端末に知らせる。また、ＵＴＲＡＮは、ＭＡＣ−ｅ  ＰＤＵを構成する時にＭＡＣ−ｅ  ＰＤＵが制御情報を含むべきか否かを端末が決定するようにするために、ＵＴＲＡＮは端末に当該制御情報の優先順位を知らせることができる。好ましくは、端末は、無予約転送と設定されたチャネルに対して無予約転送許容量内でＭＡＣ−ｅ  ＰＤＵを埋め、予約転送と設定されたチャネルに対して予約転送許容量内でＭＡＣ−ｅ  ＰＤＵを埋める。この時、ＭＡＣ−ｅ  ＰＤＵは、各論理チャネルの優先順位によって構成される。
【００７５】
端末が余分にＮｏｄｅ  Ｂに制御情報を転送するのを防ぐために、Ｎｏｄｅ  Ｂは、端末が制御情報を送っても良いか否かを表す指示子を端末に知らせる。
【００７６】
したがって、本発明は、予約転送及び無予約転送を支援する移動通信システムにおいて予約転送及び無予約転送を用いて制御情報を效果的に送受信するようにする。
【００７７】
図６には、本発明の移動通信装置４００、例えば、本発明の方法を行う移動電話のブロック図が示される。移動通信装置４００は、マイクロ・プロセッサ（ｍｉｃｒｏｐｒｏｃｅｓｓｏｒ）またはデジタル信号処理器（ｄｉｇｉｔａｌ  ｓｉｇｎａｌ  ｐｒｏｃｅｓｓｏｒ）、ＲＦモジュール４３５、電力管理モジュール４０６、アンテナ４４０、バッテリ４５５、ディスプレイ４１５、キーパッド４２０、フラッシュメモリ、ＲＯＭまたはＳＲＡＭのような保存部４３０、スピーカー４４５及びマイク４５０を備える。さらにＳＩＭカード（ＳＩＭ  ｃａｒｄ）４２５が備えられても良い。
【００７８】
ユーザは、キーパッド４２０のボタンを押す、または、マイク４５０を用いて音声駆動（ｖｏｉｃｅ  ａｃｔｉｖａｔｉｏｎ）することによって電話番号のような指示情報（ｉｎｓｔｒｕｃｔｉｏｎａｌ  ｉｎｆｏｒｍａｔｉｏｎ）を入力する。
【００７９】
処理部４１０は、電話番号のダイヤリングのような適切な機能を行うために指示情報を受信して処理する。動作データは、上記機能を行うために保存部４３０から読み取られることができる。また、処理部４１０は、ユーザの参考及び便宜のためにディスプレイ４１５に上記指示情報及び動作情報を表示することができる。
【００８０】
処理部４１０は、通信、例えば、音声通信データを含む無線信号を転送し始めるために指示情報をＲＦモジュール４３５に発行する。ＲＦモジュール４３５は、無線信号を送受信するために受信器及び送信器を備える。アンテナ４４０は、無線信号の転送と受信を支援する。無線信号を受信すると、ＲＦモジュール４３５は、処理部４１０の処理のために当該受信した信号を伝達し、基底帯域周波数に変換することができる。処理された信号は、例えば、スピーカー４４５を介して出力される聴取可能または読み取り可能な情報に変換される。
【００８１】
処理部４１０は、制御情報を転送する必要があるか否かを決定し、転送のためのデータブロックを構成し、制御情報を転送する必要があると決定した場合、当該データブロック内に前記制御情報を位置させる役割を果たす。ここで、転送する現在データは、優先順位方式によってデータブロック内に位置する。ここで、制御情報は、転送する現在データよりも高い優先順位を持つ。ＲＦモジュール４３５の送信器は、処理部４１０の制御によってデータブロックを転送する。
【００８２】
上述の実施例及び長所は単なる例示的なもので、本発明を限定するためのものではない。本発明は、他の種類の装置に容易に適用されることができる。本発明の詳細な説明の内容は、具体例を説明するためのもので、特許請求の範囲を制限するためのものではない。したがって、様々な代替物、変更及び変移は、本発明の属する技術分野における通常の技術者にとっては自明である。特許請求の範囲において機能式（ｍｅａｎｓ−ｐｌｕｓ−ｆｕｎｃｔｉｏｎ）節は上述の機能を行うもので、説明された構造と構造的に均等である他、均等構造を含むために意図されたものである。
【産業上の利用可能性】
【００８３】
本開示内容は、移動端末及び基地局を含む全ての種類の装置に容易に適用されることができる。
【図面の簡単な説明】
【００８４】
【図１】ＵＭＴＳの網構成を示すブロック図である。
【図２】ＵＥとＵＴＲＡＮ間の無線インターフェースプロトコルの階層構造図である。
【図３】専用チャネル（ＤＣＨ）と向上した専用チャネル（Ｅ−ＤＣＨ）の構造を例示する図である。
【図４】Ｅ−ＤＣＨのためのプロトコルを示す図である。
【図５】本発明の一実施例による制御情報の送受信を示す流れ図である。
【図６】本発明の一実施例による移動通信装置を示すブロック図である。
【図１】
2008541545.tif 000004
【図２】
2008541545.tif 000005
【図３】
2008541545.tif 000006
【図４】
2008541545.tif 000007
【図５】
2008541545.tif 000008
【図６】
2008541545.tif 000009
【国際調査報告】
2008541545.tif 000010
2008541545.tif 000011
2008541545.tif 000012